(57)【要約】  室外機（１０）は、筐体（１１）と保護カバー（１２）とを備える。筐体（１１）は、冷媒配管の接続口である接続バルブ（１３）と、電気部品の接続口である端子台開口部（１４）とが外部に露出するように設けられている。保護カバー（１２）は、接続バルブ（１３）と端子台開口部（１４）との両方を覆うように筐体（１１）に取り付けられる。保護カバー１２は、接続バルブ（１３）を覆うバルブカバー部分（１９）と端子台開口部（１４）を覆う電気カバー部分（２０）との間の連通部分（２１）に、筐体（１１）の方に凹み、底（２３）が平面になっている凹部（２２）が形成されている。室外機（１０）は、凹部（２２）の底（２３）に設置され、凹部（１２）の底（２３）と筐体（１１）の側面との間の空間を埋める隙間材が設けられる。
2016189696.tif 000002
【特許請求の範囲】
【請求項１】
冷媒配管の接続口である接続バルブと電気部品の接続口である端子台開口部とが外部に露出して設けられた筐体と、
前記接続バルブと前記端子台開口部とを覆うように前記筐体に取り付けられた保護カバーであって、前記接続バルブを覆う部分と前記端子台開口部を覆う部分との間の連通部分に、前記筐体の方に凹んだ凹部であって、底が平面になった凹部が形成され、前記凹部よりも前記接続バルブを覆う部分寄りに引込孔が形成された保護カバーと、
前記凹部の前記底と前記筐体との間の空間を埋めて前記連通部分を塞ぐ隙間材と
を備える室外機。
【請求項２】
前記凹部は、上側の面が前記底から前記凹部の開口に向かって上方向に傾斜した
請求項１に記載の室外機。
【請求項３】
前記隙間材は、前記筐体と前記凹部の前記底との間の幅よりも厚みがあり、前記筐体と前記凹部との間で押しつぶされて設けられた
請求項１又は２に記載の室外機。
【請求項４】
前記保護カバーは、前記端子台開口部を覆う部分に放熱孔が形成された
請求項１から３までのいずれか１項に記載の室外機。
【請求項５】
前記保護カバーに形成された引込孔は、前記接続バルブに接続される配管と、前記端子台開口部に接続される配線とを引き込むための孔である
請求項１から４までのいずれか１項に記載の室外機。
【請求項６】
冷媒配管の接続口である接続バルブと電気部品の接続口である端子台開口部とが外部に露出して設けられた室外機の筐体に取り付けられる保護カバーであって、前記接続バルブと前記端子台開口部とを覆う保護カバーであり、
前記接続バルブを覆う部分と前記端子台開口部を覆う部分との間の連通部分に、前記筐体の方に凹み、底が平面になった凹部であって、前記底と前記筐体との間の空間を埋めて前記連通部分を塞ぐ隙間材が取り付けられる凹部が形成され、
前記接続バルブを覆う部分寄りに引込孔が形成された保護カバー。
【発明の詳細な説明】
【技術分野】
【０００１】
この発明は、空気調和機等の室外機の冷媒配管の接続口及び電気部品の接続口の保護カバーと、保護カバーを備える室外機とに関する。
【背景技術】
【０００２】
空気調和機等の室外機には、冷媒配管の接続口である接続バルブと、電気部品の接続口である端子台開口部とが外部に臨むように設けられている。室外機には、接続バルブと端子台開口部とを覆う保護カバーが取り付けられている。
保護カバーには、接続バルブに取り付けられる配管と、端子台開口部に取り付けられる配線とを引き込むための引込孔が設けられている。
【先行技術文献】
【特許文献】
【０００３】
【特許文献１】特開２００７−７８２２０号公報
【発明の概要】
【発明が解決しようとする課題】
【０００４】
保護カバーに設けられた引込孔からイモリ等の生物が侵入し、端子台開口部から電気部品が設置された電気箱内に入り込んで、電気部品を短絡させてしまうことがあった。
この発明は、保護カバーに設けられた引込孔から生物により、電気部品が短絡することの防止を目的とする。
【課題を解決するための手段】
【０００５】
この発明に係る室外機は、
冷媒配管の接続口である接続バルブと電気部品の接続口である端子台開口部とが外部に露出して設けられた筐体と、
前記筐体との間に空間を開けて、前記接続バルブと前記端子台開口部とを覆う保護カバーであって、前記接続バルブを覆う部分と前記端子台開口部を覆う部分との間の連通部分に、前記筐体との間の空間が狭くなるように凹んだ凹部であって、底が平面になった凹部が形成され、前記凹部よりも前記接続バルブ寄りに引込孔が形成された保護カバーと、
前記凹部の前記底と前記筐体との間の空間を埋めて前記連通部分を塞ぐ隙間材と
を備える。
【発明の効果】
【０００６】
この発明は、底が平面になった凹部が保護カバーに形成されており、凹部の底と筐体との間の空間を埋める隙間材を備える。隙間材により引込孔から侵入した小動物が端子台開口部の付近に行くことができない。そのため、小動物により電気部品が短絡することを防止できる。
【図面の簡単な説明】
【０００７】
【図１】実施の形態１に係る室外機１０の分解斜視図。
【図２】実施の形態１に係る保護カバー１２の内面斜視図。
【図３】実施の形態１に係る保護カバー１２の外面斜視図。
【図４】実施の形態１に係る隙間材２６を取り付けた状態を示す図。
【図５】実施の形態１に係る保護カバー１２の縦断面図。
【発明を実施するための形態】
【０００８】
実施の形態１．
＊＊＊構成の説明＊＊＊
図１から図５に基づき、実施の形態１に係る室外機１０の構成を説明する。
室外機１０は、空気調和機及び給湯器等の装置の室外機である。図１に示すように、室外機１０は、筐体１１と、保護カバー１２とを備える。
【０００９】
筐体１１は、内部に圧縮機等の冷凍サイクルを構成する機械と、機械を制御する電気部品とが収納されている。
筐体１１は、冷凍サイクルを構成する冷媒配管の接続口である接続バルブ１３と、電気部品の接続口であり、配線２９が接続される端子台開口部１４とが外部に露出して設けられている。接続バルブ１３と端子台開口部１４とは、筐体１１の同じ側面に設けられており、接続バルブ１３が下方に設けられ、端子台開口部１４が上方に設けられている。
【００１０】
保護カバー１２は、接続バルブ１３と端子台開口部１４との両方を覆うように筐体１１に取り付けられる。保護カバー１２は、下方に設けられたフック１５が筐体１１の取付孔１６に挿入され、上方に設けられた通し孔１７にネジが通され筐体１１のネジ穴１８に挿入されて、合計４か所で筐体１１に取り付けられる。保護カバー１２は、筐体１１に取り付けられると、周縁部分が筐体１１に密着し、他の部分には筐体１１との間に空間ができる。
保護カバー１２は、接続バルブ１３を覆うバルブカバー部分１９と端子台開口部１４を覆う電気カバー部分２０との間の連通部分２１に、筐体１１との間の空間が狭くなるように筐体１１の方に凹んだ凹部２２が形成されている。凹部２２は、底２３が筐体１１の側面と平行な平面になっている。
保護カバー１２は、電気カバー部分２０に、電気部品が発する熱を放出するために格子状に開けられた放熱孔２４が設けられている。
【００１１】
図２及び図３に示すように、保護カバー１２は、凹部２２よりもバルブカバー部分１９寄りに引込孔２５が形成されている。引込孔２５は、接続バルブ１３に接続される配管と、端子台開口部１４に接続される配線２９とを引き込むためのものである。
【００１２】
図２及び図４及び図５に示すように、室外機１０は隙間材２６を備える。図２及び図４及び図５では、保護カバー１２と区別するため、隙間材２６にハッチングを入れて示している。
隙間材２６は、緩衝材として用いられるような弾力性のある材料で形成されている。隙間材２６は、保護カバー１２における凹部２２の底２３に設置される。隙間材２６が設置された状態で保護カバー１２が筐体１１に取り付けられる。そして、隙間材２６は、凹部２２の底２３と筐体１１の側面との間の空間を埋めて連通部分２１を塞ぐ。
【００１３】
図５に示すように、隙間材２６は、筐体１１と凹部２２の底２３との間の幅Ｗよりも若干厚みがある。隙間材２６は、保護カバー１２が筐体１１に取り付けられると、筐体１１と凹部２２の底２３との間で押しつぶされて設けられる。隙間材２６は、押しつぶされているため、筐体１１の側面と、凹部２２の底２３とに密着し、筐体１１と保護カバー１２との間をほとんど隙間なく塞ぐ。
なお、引込孔２５から引き込まれた配線２９が連通部分２１を通って端子台開口部１４に接続される。そのため、筐体１１と隙間材２６との間に、配線２９が挟まれる。しかし、隙間材２６は、弾力性があるため、配線２９を傷つけることなく、筐体１１と保護カバー１２との間をほとんど隙間なく塞ぐ。
【００１４】
図２及び図４に示すように、保護カバー１２には、底２３の下の左右両側に、一対の突起２７を有する。隙間材２６は、凸部分を有する形状であり、凸部分を下にして、凸部分が突起２７の間に入れられて凹部２２の底２３に設置される。これにより、保護カバー１２が筐体１１に取り付けられる際、隙間材２６が下にずれることが防止される。
【００１５】
図１及び図３及び図５に示すように、凹部２２は、上側の面２８が底２３から凹部２２の開口に向かって上方向に傾斜している。ここでは、上側の面２８は、図５に示す角度θが１３５度以上の角度となるように傾斜している。
【００１６】
＊＊＊効果の説明＊＊＊
以上のように、実施の形態１に係る室外機１０は、隙間材２６によりバルブカバー部分１９と電気カバー部分２０との間の連通部分２１を塞いでいる。これにより、引込孔２５から侵入した生物が端子台開口部１４の付近に行くことができない。そのため、小動物により電気部品が短絡することを防止できる。
【００１７】
特に、実施の形態１に係る室外機１０は、凹部２２の底２３が平面になっている。これにより、隙間材２６を筐体１１と凹部２２の底２３とにしっかりと密着させることが可能である。そのため、連通部分２１をほとんど隙間なく塞ぐことができる。
【００１８】
実施の形態１に係る室外機１０は、凹部２２が放熱孔２４よりも下側に設けられている。これにより、凹部２２と隙間材２６とが、電気部品から出た熱が放熱孔２４から放出されることを妨げない。
【００１９】
実施の形態１に係る室外機１０は、凹部２２の上側の面２８が底２３から開口に向かって上方向に傾斜している。これにより、凹部２２に手を掛けづらくなり、作業員によって凹部２２が取手として利用されることを防止できる。
【００２０】
なお、凹部２２を大きく凹ませ、底２３が筐体１１に当接するようにすることも可能である。しかし、このようにしてしまうと、底２３により配線２９が押しつぶされてしまい、配線２９が傷ついてしまう恐れがある。
【符号の説明】
【００２１】
１０  室外機、１１  筐体、１２  保護カバー、１３  接続バルブ、１４  端子台開口部、１５  フック、１６  取付孔、１７  通し孔、１８  ネジ穴、１９  バルブカバー部分、２０  電気カバー部分、２１  連通部分、２２  凹部、２３  底、２４  放熱孔、２５  引込孔、２６  隙間材、２７  突起、２８  上側の面、２９  配線。
【図１】
2016189696.tif 000003
【図２】
2016189696.tif 000004
【図３】
2016189696.tif 000005
【図４】
2016189696.tif 000006
【図５】
2016189696.tif 000007
【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
冷媒配管の接続口である接続バルブと電気部品の接続口である端子台開口部とが外部に露出して設けられた筐体と、
前記接続バルブと前記端子台開口部とを覆うように前記筐体に取り付けられており、前記接続バルブを覆う部分と前記端子台開口部を覆う部分との間の連通部分に、前記筐体の方に凹み、底の裏面が平面になった凹部が形成され、前記凹部よりも前記接続バルブを覆う部分寄りに引込孔が形成された保護カバーと、
前記凹部の前記底の前記裏面と前記筐体との間の空間を埋めて前記連通部分を塞ぐ隙間材と
を備え、
前記保護カバーは、前記凹部の前記接続バルブを覆う部分側に、前記隙間材がずれることを防止する突起を有する室外機。
【請求項２】
前記突起は、前記底の前記裏面の両側に設けられ、
前記隙間材は、凸部分を有する形状であり、前記凸部分が両側に設けられた前記突起の間に入れられて設置された
請求項１に記載の室外機。
【請求項３】
前記隙間材は、前記筐体と前記凹部の前記底の前記裏面との間の幅よりも厚みがあり、前記筐体と前記凹部との間で押しつぶされて設けられた
請求項１又は２に記載の室外機。
【請求項４】
前記保護カバーは、前記端子台開口部を覆う部分に放熱孔が形成された
請求項１から３までのいずれか１項に記載の室外機。
【国際調査報告】
2016189696.tif 000008
2016189696.tif 000009
2016189696.tif 000010
2016189696.tif 000011